(57)【要約】【課題】  ２つの熱交換器コアを一体化した自動車用熱交換器であって、夫々のチューブ内に異なる熱交換媒体が流通するものであって、効率がよく、製造および組立てが容易な自動車用熱交換器の提供。【解決手段】  夫々一対のタンクと多数のチューブを有するコンデンサコア３とインタークーラコア６とを、厚み方向に二列に並列させ、夫々のコンデンサ用チューブ１，インタークーラ用チューブ４間に跨がって共通のフィン７を配置し一体に結合する。そしてフィン７には伝熱阻止用のスリットが存在しないものを使用し、起風用ファンおよび自動車の走行に伴う冷却風14がフィン７およびコンデンサ用チューブ１，インタークーラ用チューブ４の外面を通過するようにする。【選択図】        図２
2005145204.tif 000002
【特許請求の範囲】
【請求項１】
内部に冷媒を流通させる多数のコンデンサ用チューブ(1) が並列され、夫々のコンデンサ用チューブ(1) の両端が一対のコンデンサ用タンク(2) に連通された車内空調用のコンデンサコア(3) と、
内部に加圧された過給気を流通させる多数のインタークーラ用チューブ(4) が並列され、夫々のインタークーラ用チューブ(4) の両端が一対のインタークーラ用タンク(5) に連通されたインタークーラコア(6) と、を具備し、
両コア(3) (6) が夫々の厚み方向に二列に並列され、
両列の各チューブ(1) (4) 間に跨がって共通の多数のフィン(7) を配置して、両コア(3) (6) が一体的に結合され、
夫々のフィン(7) は、両チューブ(1) (4) の熱が互いに伝熱可能に、そのフィン(7) の前記両列の中間には伝熱阻止用のスリットが存在しないものであり、
起風用ファンおよび自動車の走行に伴う冷却風(14)が、フィン(7) および両チューブ(1) (4) の外面を通過し、
自動車の低速走行時およびアイドリング時には、前記過給気の加圧が小さくなり、中速及び高速走行時には、前記過給気の加圧が大きくなって、低速走行時に比べてその過給気温度が高温となることを特徴とする自動車用熱交換器。
【請求項２】
請求項１において、
冷却風(14)に対して、前記車内空調用のコンデンサコア(3) が、インタークーラコア(6) の上流側に配置された自動車用熱交換器。
【発明の詳細な説明】
【技術分野】
【０００１】
本発明は、フィンを共通化したコンデンサとインタークーラとの結合型熱交換器に関する。
【背景技術】
【０００２】
従来、フィンを共通化した２つの熱交換器の結合体として、下記特許文献１が知られている。この熱交換器は、エンジン冷却用のラジエータと車内空調用のコンデンサとを一体化したものであり、夫々多数のチューブと一対のヘッダを有するラジエータコアと、コンデンサコアとを厚み方向に並列し、夫々のチューブ間を跨ぐようにコルゲートフィンを配置し、両コアを一体化したものである。そして両コアを跨ぐコルゲートフィンの中間部に熱伝達阻止用のスリットを設け、両者のコア間にフィンを通じ熱が伝達することを防止するものである。
この一体型熱交換器は、フィン部材をラジエータとコンデンサとで共有することにより、部品点数が減少すると共に、自動車への取付けが容易である特徴を有する。
【０００３】
【特許文献１】実公平６−４５１５５号公報
【発明の開示】
【発明が解決しようとする課題】
【０００４】
エンジン冷却用のラジエータは、エンジンが高温である間には、その冷却水が高温となり、アイドリング時，低速走行時，中速走行時，高速走行時，何れのときも一定以上の熱交換量を必要とする。
また、夏季であれば車内冷房用のコンデンサは常に一定以上の熱交換能力を必要とし、コンプレッサーにより圧縮され、高温となった冷媒がコンデンサのチューブ内を流通している。そのため、共有するフィンは何れか一方側のチューブの熱が他方のチューブに伝熱されるので、それを遮断するスリットが必要であった。
このスリットは、熱遮断のためには比較的大きく開口する必要があり、フィンの製造が難しくなる欠点があった。
【０００５】
さらにスリットの分だけ伝熱面積が少なくなり、放熱性に影響を及ぼすものとなる。
また、フィンの一部にスリットが存在するためコルゲートフィンの曲折成形を均一に行い難いと欠点がある。
そこで本発明は、スリットの存在しない共有フィンを用い、それが存在しなくても複数の熱交換器コア間に伝熱が起こり難い性能の良い自動車用熱交換器を提供することを課題とする。
【課題を解決するための手段】
【０００６】
請求項１に記載の本発明は、内部に冷媒を流通させる多数のコンデンサ用チューブ(1) が並列され、夫々のコンデンサ用チューブ(1) の両端が一対のコンデンサ用タンク(2) に連通された車内空調用のコンデンサコア(3) と、
内部に加圧された過給気を流通させる多数のインタークーラ用チューブ(4) が並列され、夫々のインタークーラ用チューブ(4) の両端が一対のインタークーラ用タンク(5) に連通されたインタークーラコア(6) と、を具備し、
両コア(3) (6) が夫々の厚み方向に二列に並列され、
両列の各チューブ(1) (4) 間に跨がって共通の多数のフィン(7) を配置して、両コア(3) (6) が一体的に結合され、
夫々のフィン(7) は、両チューブ(1) (4) の熱が互いに伝熱可能に、そのフィン(7) の前記両列の中間には伝熱阻止用のスリットが存在しないものであり、
起風用ファンおよび自動車の走行に伴う冷却風が、フィン(7) および両チューブ(1) (4) 外面を通過し、
自動車の低速走行時およびアイドリング時には、前記過給気の加圧が小さくなり、中速及び高速走行時には、前記過給気の加圧が大きくなって、低速走行時に比べてその過給気温度が高温となることを特徴とする自動車用熱交換器である。
【０００７】
請求項２に記載の本発明は、請求項１において、
冷却風に対して、前記車内空調用のコンデンサコア(3) が、インタークーラコア(6) の上流側に配置された自動車用熱交換器である。
【発明の効果】
【０００８】
本発明の自動車用熱交換器は、コンデンサコア３とインタークーラコア６が夫々厚み方向に二列に並列され、夫々のコアのコンデンサ用チューブ１，インタークーラ用チューブ４間に跨がってフィン７が配置され、そのフィン７の中間には伝熱阻止用のスリットが存在しないものである。
このようにコンデンサコア３とインタークーラコア６とを組み合わせて共通のフィン７を設けることにより、アンドリングまたは低速走行時から高速走行時まで不都合の無いインタークーラとコンデンサとの一体型自動車用熱交換器を提供できる。
【０００９】
即ち、低速走行時およびアイドリング時は、インタークーラ用チューブ４に流通する過給気温度が低く、インタークーラのための熱交換を殆ど必要としない。従って、低速走行時およびアイドリング時にはフィン７はコンデンサの放熱を充分に行うことができる。
次に、高速走行時および中速走行時には自動車の走行に伴う冷却風が強く働き、熱交換容量が高くなるので、このとき過給気の加圧が大きくなり、その過給気温度が高くなっても、走行風により過給気の冷却を充分行うことができる。それと共に、コンデンサに流通する冷媒も充分冷却することができる。
【００１０】
また、本発明のフィン７は伝熱阻止用のスリットが中間に存在しないものであるため、その製造が容易で且つ、フィン７とコンデンサ用チューブ１，インタークーラ用チューブ４との組立てが容易である。
さらにスリットが中間に存在しなくても、高速および中速走行時には冷却風の風量が多く流速が速いため、熱が冷却風に急速に伝熱され、コンデンサ用チューブ１とインタークーラ用チューブ４間に伝熱が行われることはなく、冷却風によってフィン７の熱を外部に持ち去ることができる。
【００１１】
次に、上記構成において冷却風に対してコンデンサコア３をインタークーラコア６の風上側に位置することができる。
このようにすることにより、中速および高速走行時に、冷媒温度より高い過給気の熱的影響をコンデンサ側に与えることがない。即ち、冷却風によって過給気の高温度を背後に導きコンデンサに熱的影響を与えることがない。
【発明を実施するための最良の形態】
【００１２】
次に、図面に基づいて本発明の実施の形態につき説明する。
図１は本発明の自動車用熱交換器の要部分解斜視図であり、図２はその組立て状態を示す一部破断斜視図、図３は図２の III− III矢視断面略図である。
この自動車用熱交換器は、コンデンサコア３とインタークーラコア６とを一体化し、そのコンデンサ用チューブ１，インタークーラ用チューブ４間に共通のフィン７を配置して一体にろう付け固定したものである。
【００１３】
コンデンサコア３は、内部に冷媒を流通させる多数のコンデンサ用チューブ１が並列され、夫々のコンデンサ用チューブ１の両端が一対のコンデンサ用タンク２に連通されたものであって、車内空調装置に使用されるものである。
また、インタークーラコア６は内部に加圧された過給気を流通させる多数のインタークーラ用チューブ４が並列され、夫々のインタークーラ用チューブ４の両端が一対のインタークーラ用タンク５に連通されたものである。
【００１４】
このようなコンデンサコア３とインタークーラコア６とを厚み方向に二列に並列させ、両列のコンデンサ用チューブ１，インタークーラ用チューブ４間に跨がって、共通の多数のフィン７を配置し、フィン７とコンデンサ用チューブ１およびインタークーラ用チューブ４との接触部間を一体にろう付け固定したものである。
このフィン７はコルゲート型のものであるが、それに代えてプレート型のものを使用することもできる。なお、フィン７は、前記従来技術と異なり、コンデンサ用チューブ１，インタークーラ用チューブ４の熱が互いに伝熱可能に、そのフィン７の両列の中間には伝熱阻止用のスリットが存在しないものである。
【００１５】
そして、両者の前方側にコンデンサコア３が位置し、後方側にインタークーラコア６が配置される。そして図示しない起風用のファンが配置され、その起風用のファンおよび自動車の走行に伴う冷却風14がフィン７およびコンデンサ用チューブ１，インタークーラ用チューブ４の外面を通過して、コンデンサ用チューブ１内を流れる冷媒との間に熱交換を行うと共に、インタークーラ用チューブ４内を流れる過給気との間にも熱交換を行うものである。
なお、この例のコンデンサ用チューブ１およびインタークーラ用チューブ４は共に偏平チューブからなり、そのコンデンサ用チューブ１は図１の如くアルミニュームの押出材からなる多穴管で形成されている。そしてコンデンサ用タンク２は丸パイプの一側に多数のチューブ挿通孔11を並列すると共に、パイプの上下両端を蓋13で閉塞したものである。
【００１６】
また、インタークーラ用タンク５は浅い溝型のチューブプレートとそれを被嵌する深い溝状の本体とが嵌着され、その長手方向両端を蓋により閉塞したものである。そしてそのチューブ挿通孔12にインタークーラ用チューブ４を嵌着し、各チューブとチューブ挿通孔との間を一体にろう付け固定したものである。
なお、インタークーラ用タンク５およびコンデンサ用タンク２は上記実施の形態に拘わらず、公知の各種タンクを採用できる。そして各インタークーラ用タンク５には夫々過給気出入口パイプ10が取付けられ、コンデンサ用タンク２には冷媒出入口パイプ９が取付けられる。そして一方の冷媒出入口パイプ９から流入した高温の冷媒は、各コンデンサ用チューブ１内を流通し、他方のコンデンサ用タンク２から冷媒出入口パイプ９を介して図示しない車内冷房装置の冷媒循環路を循環する。
【００１７】
また、ターボチャージャー等により空気を加圧して高温になった過給気が一方のインタークーラ用タンク５の過給気出入口パイプ10から流入し、各インタークーラ用チューブ４内を流通して、他方のインタークーラ用タンク５の過給気出入口パイプ10よりそれがエンジンに供給される。そして図示しないファンまたは走行により生じた冷却風14が、フィン７の外面およびインタークーラ用チューブ４およびコンデンサ用チューブ１の外面を流通し、それと冷媒および過給気との間に熱交換が行われるものである。
【００１８】
過給気は、自動車の低速走行時およびアイドリング時には圧力は小さく比較的低温であり、中速および高速走行時には加圧が大きくなり過給気温度は高温となる。しかしながら、中速および高速走行時には冷却風14の風量および風速が大きく、過給気を効率良く冷却し、それを自動車の後方側に放出することができる。そのため過給気の熱がフィン７を介してコンデンサコア３側に伝達されるおそれはほとんどない。
また、低速走行時およびアイドリング時には過給気は比較的低温であるため、その熱的影響をコンデンサコア３に与えることがない。そしてアイドリング時および低速走行時には、ファンによる冷却風14によって冷媒を冷却し、車内を充分空調することができる。
【図面の簡単な説明】
【００１９】
【図１】本発明の自動車用熱交換器の要部分解斜視図。
【図２】同熱交換器の組立て状態を示す一部破断斜視図。
【図３】図２の III− III矢視断面略図。
【符号の説明】
【００２０】
１  コンデンサ用チューブ
２  コンデンサ用タンク
３  コンデンサコア
４  インタークーラ用チューブ
５  インタークーラ用タンク
６  インタークーラコア
【００２１】
７  フィン
８  サポート
９  冷媒出入口パイプ
10  過給気出入口パイプ
11，12  チューブ挿通孔
13  蓋
14  冷却風
【図１】
2005145204.tif 000003
【図２】
2005145204.tif 000004
【図３】
2005145204.tif 000005